(57)【要約】【課題】枕などの変形しやすいものに装着することができるとともに、使用者に与える苦痛を緩和できるようにしたスピーカを提供する。【解決手段】スピーカ１の第１のシート２と第２のシート３とが軟質なシートで形成されている。枕などに装着すると、第１のシート２と第２のシート３とが自在に変形して、使用者にはソフトに当たるようになるため、使用者に与える苦痛を緩和できる。またマグネット４とマグネット５とが同じ磁極で対向しているため、第１のシート２と第２のシート３には互いに離れる方向の磁気反発力ｆ，ｆが作用し、常に第１のシート２および第２のシート３には突っ張り張力Ｔ，Ｔが作用している。よって、駆動コイルＣに音声信号を与えると、第１のシート２および第２のシート３から音を発することができる。【選択図】    図２
2004242167.tif 000002
【特許請求の範囲】
【請求項１】
２枚の振動板が重ねられ且つ両振動板の外周部が互いに連結された振動部材と、一方の振動板と他方の振動板との対向距離を互いに離す方向に磁気反発力を発生させる磁気発生手段と、前記磁気発生手段が発生する磁束と音声信号として与えられた電流との間に作用する電磁力により、前記一方の振動板および／または他方の振動板を振動させる駆動コイルと、が設けられていることを特徴とするスピーカ。
【請求項２】
前記一方の振動板と他方の振動板の中間に、開口部を有する基板が設けられており、前記開口部の内縁に前記駆動コイルが固定されている請求項１記載のスピーカ。
【請求項３】
前記磁気発生手段が、一方の振動板の対向面に設けられたマグネットと、他方の振動板の対向面に設けられたマグネットであり、前記両マグネットが互いに同じ極性を向けた状態で固定されている請求項１または２記載のスピーカ。
【請求項４】
２枚の振動板が重ねられ且つ両振動板の外周部が互いに連結された振動部材と、前記両振動板の対向面の双方に設けられた１組の弾性部材と、前記一方の弾性部材と他方の弾性部材との間に弾性支持されたマグネットと、前記マグネットが発生する磁束と音声信号として与えられた電流との間に作用する電磁力により、前記一方の振動板および／または他方の振動板が振動させる駆動コイルと、が設けられていることを特徴とするスピーカ。
【請求項５】
少なくとも一方の振動板が、軟質なシートで形成されている請求項１ないし４のいずれかに記載のスピーカ。
【請求項６】
前記軟質なシートが、ＰＥＴ、ＰＰまたはシリコンゴムのいずれかで形成されている請求項５記載のスピーカ。
【発明の詳細な説明】
【０００１】
【発明の属する技術分野】
本発明は、例えば枕（ピロ）や洋服など外部から力を受けて変形しやすい物に搭載することができるスピーカに係に関する。
【０００２】
【従来の技術】
従来この種の先行技術としては、例えば特許文献１などに記載されたものが存在している。
【０００３】
特許文献１は「シート状スピーカ付き目覚し枕」に関する先行技術であり、柔軟性のある枕本体の外側覆の内側に、ポリアセタール等の高分子物質と圧電セラミックスを複合化して製作されたシート状スピーカ（三菱油化製）を配置した構成である。
【０００４】
【特許文献１】
実開昭６２−１０００７２号公報
【０００５】
【発明が解決しようとする課題】
しかし、上記文献には、ポリアセタール等の高分子物質と圧電セラミックスを複合化して製作された三菱油化製のシート状スピーカを用いることしか記載されておらず、そのようなスピーカがどのようなものであるか不明である。
【０００６】
また従来より、枕の内部に装着可能なスピーカが市販されている。
しかし、いずれも硬質なケースで覆われているため、スピーカを枕の内部に装着した状態で使用者が寝入ってしまった場合、寝返りなどの姿勢を変えると、前記ケースの硬質な部分が顔や頭に当たり、使用者に苦痛を与えるとともに安眠が妨害されという問題があった。
【０００７】
本発明は上記従来の課題を解決するためのものであり、枕などの変形しやすいものに装着することができ、装着した場合には使用者に与える苦痛を緩和できるようにしたスピーカを提供することを目的としている。
【０００８】
【課題を解決するための手段】
本発明は、２枚の振動板が重ねられ且つ両振動板の外周部が互いに連結された振動部材と、一方の振動板と他方の振動板との対向距離を互いに離す方向に磁気反発力を発生させる磁気発生手段と、前記磁気発生手段が発生する磁束と音声信号として与えられた電流との間に作用する電磁力により、前記一方の振動板および／または他方の振動板を振動させる駆動コイルと、が設けられていることを特徴とするものである。
【０００９】
あるいは、前記一方の振動板と他方の振動板の中間に、開口部を有する基板が設けられており、前記開口部の内縁に前記駆動コイルが固定されているものである。
【００１０】
そして、前記磁気発生手段が、一方の振動板の対向面に設けられたマグネットと、他方の振動板の対向面に設けられたマグネットであり、前記両マグネットが互いに同じ極性を向けた状態で固定されているものである。
【００１１】
本発明のスピーカでは、振動板の双方の対向面にマグネットを反発させた状態で設けたため、振動板が軟質なシートで形成されている場合であっても、常にその振動板に突っ張り張力を与えることができる。よって、常に振動板から音を生じさせることができる。
【００１２】
また本発明は、２枚の振動板が重ねられ且つ両振動板の外周部が互いに連結された振動部材と、前記両振動板の対向面の双方に設けられた１組の弾性部材と、前記一方の弾性部材と他方の弾性部材との間に弾性支持されたマグネットと、前記マグネットが発生する磁束と音声信号として与えられた電流との間に作用する電磁力により、前記一方の振動板および／または他方の振動板を振動させる駆動コイルと、が設けられていることを特徴とするものである。
【００１３】
上記構成では、振動方向に変形可能な弾性部材が、２枚の振動板の対向面にそれぞれ弾性的に支持されており、マグネットに対し両振動板が相対的に振動自在となっている。そして、両振動板の間に弾性部材およびマグネットを設けたことにより、両振動板間の対向距離を維持することができる。すなわち、振動板が軟質なシートで形成されている場合であっても、常にその振動板に突っ張り張力を与えることができる。よって、常に振動板から音を生じさせることができる。
【００１４】
上記において、少なくとも一方の振動板が、軟質なシートで形成されているものが好ましく、より好ましくは両振動板がともに軟質のシートで形成されているものである。
【００１５】
この場合、前記軟質なシートが、ＰＥＴ、ＰＰまたはシリコンゴムのいずれかで形成されているものである
上記構成では、振動板は外部から力を受けると容易に変形することができるようになる。よって枕や洋服など変形しやすい物に取り付けることができる。
【００１６】
また２枚の振動板をシートとしたものでは、スピーカの両面から音を発することができる。
【００１７】
【発明の実施の形態】
図１は本発明の実施の形態を示すスピーカの平面図、図２は本発明の第１の実施の形態として、図１のＡ−Ａ線におけるスピーカの断面図である。
【００１８】
図１および図２に示すように、このスピーカ１は第１のシート（一方の振動板）２と第２のシート（他方の振動板）３からなる２枚の振動部材で形成されている。図１に示されるものでは、前記第１のシート２と第２のシート３の形状が円形であるが、シートの形状はこれに限られるものではなく、三角形や四角形状、あるいはその他の多角形状であってもよい。前記第１，第２のシート２，３の素材としては軟質なものが好ましく、例えば膜厚の薄いＰＥＴ（ポリエチレンテレフタレート）やＰＰ（ポリプロピレン）などのシート状のフィルム、あるいは伸縮率の高いシート状のシリコンゴムなどである。
【００１９】
前記第１のシート２と第２のシート３とは重ねられた状態で、互いの外周部２ｂ，３ｂどうしが溶着、あるいは接着剤などの手段によって連結されている。なお、第１，第２のシート２，３に挟まれたスピーカ１の内部は必ずしも密封された状態である必要はなく、前記スピーカ１の外周部２ｂ，３ｂの近傍に、スピーカ１の内部と外部との間で空気の出入りが可能な穴が形成されているものであってもよい。
【００２０】
前記第１，第２のシート２，３の対向面（内面）２ａ，３ａの中心部には、１組のマグネット（磁気発生手段）４，５が互いに同じ極性を対向させた状態で固着されている。すなわち、上方の第１のシート２の対向面２ａに固着されたマグネット４が、例えばＮ極を下方に向けた状態である場合には、下方の第２のシート３のマグネット５もＮ極を上方に向けた状態で対向面３ａに固着されている。あるいは、前記マグネット４がＳ極を下方に向けた状態で対向面２ａに固着されている場合には、前記マグネット５はＳ極を上方に向けた状態で対向面３ａに固着されている。
【００２１】
よって、マグネット４とマグネット５とは磁気反発力ｆ，ｆを生じさせる磁気発生手段として機能しており、前記第１のシート２と第２のシート３とは互いに対向距離が離れる方向に膨らんでいる。すなわち、第１のシート２および第２のシート３には、マグネット４とマグネット５との間の磁気反発力ｆ，ｆによる突っ張り張力Ｔ，Ｔが発生しており、前記突っ張り張力Ｔ，Ｔによってマグネット４とマグネット５との間にギャップＧが形成されている。なお、前記マグネット４，５から発生する磁束φ１，φ２はともに駆動コイルＣをほぼ垂直に貫いている。
【００２２】
図２に示すように、第２のシート３には前記マグネット５の外周側にボビン６の下端部が固定されている。ボビン６の高さ寸法は前記下方のマグネット５の板厚寸法よりも長く、ボビン６の上方の開口端がマグネット４に対向している。そして、前記ボビン６の上端には駆動コイルＣが巻回されている。前記駆動コイルＣはエナメル線などの被覆導線７で形成されており、その巻き始端および巻き終端は前記下方の第２のシート３の中心側から外周部３ｂ方向に延長されるとともに、前記第１のシート２の外周部２ｂと第２のシート３の外周部３ｂとの連結部分からスピーカ１の外部に引き出されている。
【００２３】
音声信号が、前記スピーカ１の駆動コイルＣに与えられると、駆動コイルＣに音声信号の電流と前記磁束φ１，φ２とによる電磁力が図示Ｚ方向に作用する。よって、第１のシート２および第２のシート３が互いに接近する方向および離間する方向（図示Ｚ方向）に振動させられ、前記第１，第２のシート２，３から前記音声信号に応じた音が発生する。すなわち、第１，第２のシート２，３は振動部材として機能している。そして、第１のシート２および第２のシート３とには、常にマグネット４，５による突っ張り張力Ｔ，Ｔが与えられているため、良質な音を発生することが可能である。
【００２４】
図３は、本発明の第２の実施の形態を示す図２同様のスピーカの断面図である。
【００２５】
図３に示すスピーカ１１では、前記第１のシート２と第２のシート３との間に、前記第１，第２のシート２，３よりも硬質の基材シート（基板）１２が重ねられた状態で、各シートの外周部どうしが連結されている。前記基材シート１２の中央部には開口部が形成されており、この開口部の内縁に駆動コイルＣが固定されている。またボビン６の上下方向の開口端と対向する第１，第２のシート２，３の対向面２ａ，３ａにはマグネット４，５が互いに同じ極性を対向させた状態で固着されている。よって、この第２の実施の形態においても、前記第１のシート２と第２のシート３の間にはマグネット４，５の磁気反発力ｆ，ｆにより、互いに離れる方向に膨らむ突っ張り張力Ｔ，Ｔが作用している。
【００２６】
なお、前記スピーカ１１の駆動コイルＣの巻き始端と巻き終端は、基材シート１２上を中央部から外部方向に延長され、その後にスピーカ１１の外部に引き出されている。
【００２７】
前記第２の実施の形態を示すスピーカにおいても、前記駆動コイルＣに音声信号を与えると、音声信号の電流を磁束φ１，φ２が垂直に鎖交するため、駆動コイルＣに図示Ｚ方向の電磁力が作用する。駆動コイルＣは、前記電磁力を受けてＺ方向に振動しようとするが、前記基材シート１２は硬質で形成されているため、前記ボビン６の代わりに前記電磁力の反作用を受けた前記マグネット４，５とが振動させられる。すなわち、ムービングマグネットの原理により、マグネット４を有する第１のシート２と第２のシート３とが互いに接近する方向および離間する方向に振動させられるため、前記第１のシート２および第２のシート３の双方から前記音声信号に応じた音を生じさせることができる。
【００２８】
図４は本発明の第３の実施の形態を示す図２同様のスピーカの断面図である。
図４に示すスピーカ２１では、第１のシート２の対向面２ａおよび第２のシート３の対向面３ａの中央部に伸縮性に優れた弾性部材２２および弾性部材２３がそれぞれ設けられ、前記弾性部材２２と弾性部材２３との間にマグネット２４が弾性自在に支持されている。前記弾性部材２２，２３としては、例えばスポンジ系のクッションダンパ、コイルスプリング、あるいはシリコンゴムなど軟質な封止体の内部に空気を密封したエアーダンパ、または前記封止体の内部に粘性の高いオイルを密封したオイルダンパなどである。
【００２９】
前記マグネット２４は、Ｎ極を第１のシート２に向け、Ｓ極を第２のシート３に向けた状態で前記弾性部材２２，２３に固定されている。
【００３０】
そして、前記マグネット２４および弾性部材２２，２３の外部には、駆動コイルＣが巻回されたボビン６が前記第１のシート２の対向面２ａに固定されている。なお、前記ボビン６は前記第２のシート３の対向面３ａに固定されたものであってもよい。前記マグネット２４に弾性部材２２，２３を加えた厚み寸法を大きくとすることにより、第１のシート２および第２のシート３に突っ張り張力Ｔ，Ｔを与えることができる。
【００３１】
この実施の形態においては、マグネット２４の磁束φは前記駆動コイルＣをほぼ垂直に貫いている。よって、上記同様に駆動コイルＣに音声信号を与えると、駆動コイルＣに図示Ｚ方向の電磁力が作用するため、第１のシート２および第２のシート３の双方から音声信号に応じた発音を生じさせることができる。
【００３２】
上記各実施の形態に示したものでは、スピーカの外部が軟質な素材からなる第１、第２のシート２，３で形成することができるため、例えば枕（ピロ）などの内部に設けた場合であっても、シートの部分が変形して使用者にソフトに当たるようになる。よって、従来のようにスピーカの硬質の部分が、使用者の頭や顔などに当たることがなくなるため、使用者に与える苦痛を無くすことができる。
【００３３】
またシート部分の多少の変形した場合であっても、常に突っ張り張力Ｔ，Ｔが作用しているため、スピーカから音が生じなくなるといったこともない。
【００３４】
なお、上記実施の形態では、第１のシートと第２のシートが共に軟質なシートで形成されている場合について説明したが、本発明はこれに限られるものではなく、一方のシートを硬質のシートとした場合であってもスピーカとしての機能を発揮することが可能である。この場合、硬質のシートでは、シートの振幅量が小さくなるため、発生する音が小さくなるが、軟質なシートでは相対的に大きな振幅となるため、大きな音が発生するようになる。
【００３５】
【発明の効果】
以上のように本発明では、スピーカの外部が、硬質なケースではなく、軟質なシートによって構成するようにしたため、枕などに装着した場合に使用者に与える苦痛を最小にできる。
【図面の簡単な説明】
【図１】図１は本発明の実施の形態を示すスピーカの平面図、
【図２】本発明の第１の実施の形態として、図１のＡ−Ａ線におけるスピーカの断面図、
【図３】本発明の第２の実施の形態を示す図２同様のスピーカの断面図、
【図４】本発明の第３の実施の形態を示す図２同様のスピーカの断面図、
【符号の説明】
１，１１，２１  スピーカ
２  第１のシート（一方の振動板）
２ａ  第１のシートの対向面（内面）
３  第２のシート（他方の振動板）
３ａ  第２のシートの対向面（内面）
１２  基材シート（基板）
マグネット４，５，２４
６  ボビン
２２，２３  弾性部材
Ｃ  駆動コイル
Ｔ  突っ張り張力
【図１】
2004242167.tif 000003
【図２】
2004242167.tif 000004
【図３】
2004242167.tif 000005
【図４】
2004242167.tif 000006